(57)【要約】【課題】  設置された複数のバンク変圧器の相互間を、低コストで，省スペースで接続することができるバンク変圧器間の配線構造を得る。【解決手段】  設置した複数のバンク変圧器の相互間を複数条の渡り配線５で接続する。渡り配線５として絶縁電線６を使用する。各バンク変圧器間を接続している各絶縁電線６は、絶縁支持台７上に所定間隔で立設した各絶縁支持物８に各条毎に支持させる。絶縁支持物８に対する絶縁電線６の固定は、絶縁電線６の両側で絶縁支持物８上に絶縁電線６の直径に近くて短いパイプ状絶縁スペーサ１０を立設し、これらパイプ状絶縁スペーサ１０の上に跨って絶縁押さえ板１１を配置し、この絶縁押さえ板１１を各パイプ状絶縁スペーサ１０の箇所で貫通して絶縁支持物８に螺合した各絶縁ボルト１２の締結で締め付けて絶縁電線６を押圧することにより行う。【選択図】    図２
2005101395.tif 000002
【特許請求の範囲】
【請求項１】
設置された複数のバンク変圧器の相互間を複数条の渡り配線で接続するバンク変圧器間の配線構造において、
前記渡り配線として絶縁電線が使用され、前記各バンク変圧器間を接続している前記各絶縁電線は絶縁支持台上に所定間隔で立設された各絶縁支持物に各条毎に支持されていることを特徴とするバンク変圧器間の配線構造。
【請求項２】
前記渡り配線は、前記バンク変圧器上に水平に存在する幹線用渡り配線と前記バンク変圧器から立ち上げられた分岐用渡り配線とを備え、前記幹線用渡り配線と前記分岐用渡り配線とが相互の絶縁被覆を剥いで露出された導体相互をＣ形スリーブよりなる圧着金具の圧着により接続されて構成されていることを特徴とする請求項１に記載のバンク変圧器間の配線構造。
【請求項３】
前記絶縁支持物に対する前記絶縁電線の固定は、前記絶縁電線の両側で前記絶縁支持物上に該絶縁電線の直径に近くて短いパイプ状絶縁スペーサが立設され、これらパイプ状絶縁スペーサの上に跨って絶縁押さえ板が配置され、該絶縁押さえ板が前記各パイプ状絶縁スペーサの箇所で貫通して前記絶縁支持物に螺合された各絶縁ボルトの締結で締め付けられて前記絶縁電線を押圧することにより行われていることを特徴とする請求項１または２に記載のバンク変圧器間の配線構造。
【発明の詳細な説明】
【技術分野】
【０００１】
本発明は、設置された複数のバンク変圧器の相互間を渡り配線で接続するバンク変圧器間の配線構造に関するものである。
【背景技術】
【０００２】
従来は、設置された複数のバンク変圧器の相互間を接続する渡り配線としてケーブルを使用していた（例えば、特許文献１参照。）。
【０００３】
このケーブルの機器への接続部は、気中端末やＬ形コネクタ等を用いた端末処理によって形成していた。また、分岐部は、Ｔ形コネクタとＬ形コネクタを組み合わせる構造や、Ｙ形分岐接続装置等を用いて形成していた。
【特許文献１】特開２０００−２７８８２６号公報（図３）
【発明の開示】
【発明が解決しようとする課題】
【０００４】
しかしながら、複数のバンク変圧器の相互間を接続する渡り配線としてケーブルを使用すると、端末処理が必要になり、このためケーブルメーカーの作業員の作業となり、コストが嵩むと共にスペースも広く必要とする問題点があった。また、分岐処理にはＴ形コネクタやＹ形分岐接続装置等必要になり、高コストになる問題点があった。さらに、機器への接続には、専用のブッシングや端子台を設ける必要があった。
【０００５】
本発明の目的は、設置された複数のバンク変圧器の相互間を、低コストで，省スペースで接続することができるバンク変圧器間の配線構造を提供することにある。
【０００６】
本発明の他の目的は、隣接する渡り配線の相互間を絶縁距離を確保して絶縁支持できるバンク変圧器間の配線構造を提供することにある。
【０００７】
本発明の他の目的は、渡り配線の幹線と分岐線の接続を容易に行えるバンク変圧器間の配線構造を提供することにある。
【課題を解決するための手段】
【０００８】
本発明は、設置された複数のバンク変圧器の相互間を渡り配線で接続するバンク変圧器間の配線構造を対象とする。
【０００９】
本発明に係るバンク変圧器間の配線構造では、前記渡り配線として絶縁電線が使用され、前記各バンク変圧器間を接続している前記各絶縁電線は絶縁支持台上に所定間隔で立設された各絶縁支持物に各条毎に支持されていることを特徴とする。
【００１０】
この場合、前記渡り配線は、前記バンク変圧器上に水平に存在する幹線用渡り配線と前記バンク変圧器から立ち上げられた分岐用渡り配線とを備え、前記幹線用渡り配線と前記分岐用渡り配線とが相互の絶縁被覆を剥いで露出された導体相互をＣ形スリーブよりなる圧着金具の圧着により接続されて構成されていることが好ましい。
【００１１】
また、前記絶縁支持物に対する前記絶縁電線の固定は、前記絶縁電線の両側で前記絶縁支持物上に該絶縁電線の直径に近くて短いパイプ状絶縁スペーサが立設され、これらパイプ状絶縁スペーサの上に跨って絶縁押さえ板が配置され、該絶縁押さえ板が前記各パイプ状絶縁スペーサの箇所で貫通して前記絶縁支持物に螺合された各絶縁ボルトの締結で締め付けられて前記絶縁電線を押圧することにより行われていることが好ましい。
【発明の効果】
【００１２】
本発明に係るバンク変圧器間の配線構造では、設置された複数のバンク変圧器の相互間を接続する渡り配線として絶縁電線を使用しているので、機器への接続部では端末処理が不要となり、ケーブルに比べて低コストで，省スペースで接続することができる。また、各バンク変圧器間を接続している各絶縁電線は絶縁支持台上に所定間隔で立設された各絶縁支持物に各条毎に支持されているので、これら絶縁支持台とその上に対向して立設された各絶縁支持物により所要の沿面距離を確保することができる。
【００１３】
また、渡り配線を、バンク変圧器上に水平に存在する幹線用渡り配線とバンク変圧器から立ち上げられた分岐用渡り配線とを用いて、これらの絶縁被覆を剥いで露出された導体相互をＣ形スリーブよりなる圧着金具の圧着により接続すると、広く行われている分岐処理方法で渡り配線の形成を行うことができる。
【００１４】
さらに、絶縁支持物に対する絶縁電線の固定を、絶縁電線の両側で絶縁支持物上に該絶縁電線の直径に近くて短いパイプ状絶縁スペーサを立設し、これらパイプ状絶縁スペーサの上に跨って絶縁押さえ板を配置し、該絶縁押さえ板を各パイプ状絶縁スペーサの箇所で貫通して絶縁支持物に螺合した各絶縁ボルトの締結で締め付けて絶縁電線を押圧することにより行うと、絶縁支持物上の絶縁電線の固定を金属を用いないで行っており、このため浮き電極となるのを防止できる。
【発明を実施するための最良の形態】
【００１５】
図１乃至図５は本発明に係るバンク変圧器間の配線構造を実施するための最良の形態の一例を示したもので、図１は本例のバンク変圧器間の配線構造の正面図、図２は本例における３相の絶縁電線の支持構造の正面図、図３は本例で絶縁支持物上での絶縁電線の固定構造の正面図、図４は本例で用いているＣ形スリーブよりなる圧着金具の斜視図、図５は本例での沿面距離の説明図である。
【００１６】
本例のバンク変圧器間の配線構造では、複数（本例では、３台）のバンク変圧器１が併設されている。これらバンク変圧器１は、共通の変圧器ケース２内に図示しないが３相の変圧器本体が設置されている。各変圧器ケース２の上部には、変圧器本体を冷却するファン３が各相毎に設置されている。また、各バンク変圧器１には、各相毎に開閉器４が設けられている。
【００１７】
複数のバンク変圧器１の変圧器本体の高圧端子１４のＵ，Ｖ，Ｗ相の相互間は、複数条の渡り配線５で接続されている。渡り配線５としては、導体を絶縁被覆で覆った２２ｋＶの絶縁電線６が使用されている。各バンク変圧器１間を接続している各絶縁電線６はＦＲＰ製ケーブルクリート等のケーブルラックよりなる絶縁支持台７上に所定間隔で立設された絶縁碍子等からなる各絶縁支持物８に各条毎に支持されている。
【００１８】
渡り配線５は、バンク変圧器１上に水平に存在する幹線用渡り配線５ａとバンク変圧器１から立ち上げられた分岐用渡り配線５ｂとを備え、幹線用渡り配線５ａと分岐用渡り配線５ｂとが相互の絶縁被覆を剥いで露出された導体相互を図４に示す如き金属製のＣ形スリーブ９よりなる圧着金具の圧着により接続されて構成されている。圧着されたＣ形スリーブ９よりなる圧着金具の表面は、絶縁テープの如き絶縁被覆で覆われている。
【００１９】
絶縁支持物８に対する絶縁電線６の固定は、絶縁電線６の両側で絶縁支持物８上に該絶縁電線６の直径に近くて短いパイプ状絶縁スペーサ１０が立設され、これらパイプ状絶縁スペーサ１０の上に跨って絶縁押さえ板１１が配置され、該絶縁押さえ板１１が各パイプ状絶縁スペーサ１０の箇所で貫通して絶縁支持物８に螺合された各絶縁ボルト１２の締結で締め付けられて絶縁電線６を押圧することにより行われている。この場合、絶縁電線６を押圧する絶縁押さえ板１１の面には、エチレンプロピレンゴム等のクッション材１３が貼り付ける等して設けられ、押圧時に絶縁電線６の絶縁被覆を損傷しないようになっている。
【００２０】
このような構造のバンク変圧器間の配線構造では、設置された複数のバンク変圧器１の相互間を接続する渡り配線５として絶縁電線６を使用しているので、機器への接続部では端末処理が不要となり、ケーブルに比べて低コストで，省スペースで接続することができる。また、各バンク変圧器１間を接続している各絶縁電線６は絶縁支持台７上に所定間隔で立設された各絶縁支持物８に各条毎に支持されているので、これら絶縁支持台７とその上に対向して立設された各絶縁支持物８により所要の沿面距離（図５参照）を確保することができる。
【００２１】
また、渡り配線５を、バンク変圧器１上に水平に存在する幹線用渡り配線５ａとバンク変圧器１から立ち上げられた分岐用渡り配線５ｂとを用いて、これらの絶縁被覆を剥いで露出された導体相互をＣ形スリーブ９よりなる圧着金具の圧着により接続しているので、広く行われている分岐処理方法で渡り配線５の形成を行うことができる。
【００２２】
さらに、絶縁支持物８に対する絶縁電線６の固定を、絶縁電線６の両側で絶縁支持物８上に該絶縁電線６の直径に近くて短いパイプ状絶縁スペーサ１０を立設し、これらパイプ状絶縁スペーサ１０の上に跨って絶縁押さえ板１１を配置し、該絶縁押さえ板１１を各パイプ状絶縁スペーサ１０の箇所で貫通して絶縁支持物８に螺合した各絶縁ボルト１２の締結で締め付けて絶縁電線６を押圧することにより行っているので、絶縁支持物８上の絶縁電線６の固定を金属を用いないで行うことができ、このため浮き電極となるのを防止できる。また、絶縁ボルト１２締めにより絶縁押さえ板１１に絶縁電線６を支点に曲げ応力が働き、締め付け曲げが大きくなり、経年的に強度が懸念される。このためパイプ状絶縁スペーサ１０に絶縁ボルト１２を通し、この絶縁ボルト１２を締め付けて絶縁電線６を押さえた時に、パイプ状絶縁スペーサ１０に絶縁押さえ板１１が当たる構造とすることで、これ以上絶縁ボルト１２が締め付けられなくなり、絶縁押さえ板１１の曲げを小さくしている。
【００２３】
ケーブルラックよりなる絶縁支持台７は、定尺で標準化しており、バンク数が増加しても、標準のケーブルラックよりなる絶縁支持台７を継ぎ足すことで対応が可能である。また、変圧器が特異な配置になった場合でも、Ｌ型のケーブルラックよりなる絶縁支持台７を使用し、隣接する絶縁電線６間の絶縁距離を確保できるように絶縁碍子等からなる各絶縁支持物８を固定することで対応可能となる。
【００２４】
通電時に、作業者が容易に絶縁電線６に触れたり、近づかないために、ケーブルラックよりなる絶縁支持台７には、保護カバーを設けて安全対策を施している。
【図面の簡単な説明】
【００２５】
【図１】本発明に係るバンク変圧器間の配線構造を実施するための最良の形態の一例の正面図である。
【図２】本例における３相の絶縁電線の支持構造の正面図である。
【図３】本例で絶縁支持物上での絶縁電線の固定構造の正面図である。
【図４】本例で用いているＣ形スリーブよりなる圧着金具の斜視図である。
【図５】本例での沿面距離の説明図である。
【符号の説明】
【００２６】
１  バンク変圧器
２  変圧器ケース
３  ファン
４  開閉器
５  渡り配線
５ａ  幹線用渡り配線
５ｂ  分岐用渡り配線
６  絶縁電線
７  ケーブルクリート等の絶縁支持台
８  絶縁碍子等からなる絶縁支持物
９  Ｃ形スリーブ
１０  短いパイプ状絶縁スペーサ
１１  絶縁押さえ板
１２  絶縁ボルト
１３  クッション材
１４  高圧端子
【図１】
2005101395.tif 000003
【図２】
2005101395.tif 000004
【図３】
2005101395.tif 000005
【図４】
2005101395.tif 000006
【図５】
2005101395.tif 000007